(57)【要約】【課題】モータ駆動時の回転軸の回転バランスを安定化させ騒音や振動等の発生を抑えモータの保持を確実に行い得るモータ支持装置を提供する。【解決手段】モータ支持装置において、回転軸の両端２ａ，２ｂがモータ本体１の端面１ａ，１ｂより突出した形態のモータ１１と、回転軸の両端のそれぞれを軸受けする一対の軸受手段１２と、モータを支持する固定部材１０と、固定部材とモータ本体１との間に設けられモータの振動を吸収する緩衝部材４とを具備して構成する。【選択図】図１
2010279099.tif 000002
【特許請求の範囲】
【請求項１】
モータ支持装置において、
回転軸の両端がモータ本体の端面より突出した形態のモータと、
上記回転軸の両端のそれぞれを軸受けする一対の軸受手段と、
上記モータを支持する固定部材と、
上記固定部材と上記モータ本体との間に設けられ、上記モータの振動を吸収する緩衝部材と、
を具備することを特徴とするモータ支持装置。
【請求項２】
上記軸受手段は、上記モータの上記回転軸と、該回転軸を受ける軸受部材とからなり、上記回転軸の両端の各先端部にテーパ形状の凹部が形成され、上記軸受部材は、上記回転軸の凹部に嵌合するテーパ形状の凸部が形成されてなることを特徴とする請求項１に記載のモータ支持装置。
【請求項３】
上記軸受手段は、上記モータの上記回転軸の両端のそれぞれに、一端が上記回転軸と嵌合し他端がテーパ形状の凹部を有する軸部材と、該軸部材を受ける軸受部材とからなり、
上記軸受部材は、上記凹部に嵌合するテーパ形状の凸部を有することを特徴とする請求項１に記載のモータ支持装置。
【請求項４】
上記回転軸の一端面と上記モータの一端面との間には、上記モータの出力を伝達する負荷部材を有することを特徴とする請求項１〜請求項４のいずれか一つに記載のモータ支持装置。
【発明の詳細な説明】
【技術分野】
【０００１】
この発明は、モータ支持装置、詳しくは駆動源としてのモータを固定部材に安定した状態で支持するモータ支持装置に関するものである。
【背景技術】
【０００２】
従来、駆動源としてモータを用いる駆動装置を有する機器は広く普及している。例えばデジタルカメラやビデオカメラ等（以下、これらを総称してカメラという）においては、焦点調節動作やズーム動作を行うために、駆動源としての小型モータと、このモータの出力を伝達する複数の歯車等からなる駆動力伝達機構等によって構成される駆動装置を具備しているものがある。このようなカメラにおける駆動装置は、通常の場合、カメラ本体内若しくはレンズ鏡筒内等に設けられている。
【０００３】
このような従来の駆動装置においては、例えばモータの回転軸の基端部をベアリング等の軸受部材によって受けて、この軸受部材を固定部材に嵌合させて固設すると共に、同固定部材に対してモータ本体の一部をビス等によって固定するように構成したものがある。この場合、モータの回転軸の先端部近傍には歯車等が固設されていて、この歯車等を介して該モータの出力は駆動力伝達機構へと伝達されるように構成される。
【０００４】
このような構成の駆動装置の場合、モータを駆動させると軸受部材から離れた位置、即ちモータの回転軸の先端部近傍に固設された歯車等を介して回転軸に対して駆動負荷が加わることになる。この場合、回転軸の回転中心とモータの内部ロータの重心とがずれてしまうことがあり、これによりモータの回転バランスが崩れてしまうことになる。モータの回転バランスが崩れた場合、回転軸の回転に振れが生じることになり、その結果、騒音や振動等が増幅されてしまうということが考えられる。
【０００５】
このように、従来のモータを用いる駆動装置においては、モータの駆動時に生じる騒音や振動等が問題視されていた。
【０００６】
そこで、駆動装置から生じる騒音や振動等を低減化するために、モータを安定した状態に支持するためのモータ支持装置についての技術が、例えば特開平５−１５１０３号公報等によって、従来種々の提案がなされている。
【０００７】
上記特開平５−１５１０３号公報によって開示されているモータ支持装置は、モータの出力軸をスラスト方向に正しく位置決めすることによりモータ出力軸とその軸受け部において生じるガタの発生を抑えるというものである。
【０００８】
そのために、上記公報に記載の装置においては、ギアケース内においてモータの先端部近傍に軸受及びボールを配置すると共に、ギアケース内で固設され上記軸受及びボールを保持するメタルホルダをギアケース内に充填した充填剤で位置決め固定するというものである。
【先行技術文献】
【特許文献】
【０００９】
【特許文献１】特開平５−１５１０３号公報
【発明の概要】
【発明が解決しようとする課題】
【００１０】
ところが、上記特開平５−１５１０３号公報等によって開示されている手段では、多数の構成部材を必要とすることから複雑な構造になってしまうという問題点がある。
【００１１】
本発明は、上述した点に鑑みてなされたものであって、その目的とするところは、簡単な構成によってモータ駆動時におけるモータの回転軸の回転バランスを安定化させることにより、騒音や振動等の発生を抑えて静音化を実現すると共に、固定部材に対するモータの保持を確実に行い得る構造を備えたモータ支持装置を提供することである。
【課題を解決するための手段】
【００１２】
上記目的を達成するために、本発明によるモータ支持装置は、モータ支持装置において、回転軸の両端がモータ本体の端面より突出した形態のモータと、上記回転軸の両端のそれぞれを軸受けする一対の軸受手段と、上記モータを支持する固定部材と、上記固定部材と上記モータ本体との間に設けられ、上記モータの振動を吸収する緩衝部材とを具備することを特徴とする。
【発明の効果】
【００１３】
本発明によれば、簡単な構成によってモータ駆動時におけるモータの回転軸の回転バランスを安定化させることにより、騒音や振動等の発生を抑えることができると共に、固定部材に対するモータの保持を確実に行い得る構造を備えたモータ支持装置を提供することができる。
【図面の簡単な説明】
【００１４】
【図１】本発明の一実施形態のモータ支持装置の全体的な構成を示す概略構成図
【図２】本発明の一実施形態のモータ支持装置における回転軸の支持部の一変形例を示す要部拡大図
【図３】本発明の一実施形態のモータ支持装置における回転軸の支持部の別の変形例を示す要部拡大図
【発明を実施するための形態】
【００１５】
以下、図示の実施の形態によって本発明を説明する。
【００１６】
図１に示すように、本発明の一実施形態のモータ支持装置は、駆動源としてのモータ１１と、モータ１１の回転軸２ａ，２ｂの両端のそれぞれを軸受けする一対の軸受手段１２と、モータ１１を支持する固定部材１０と、この固定部材１０とモータ１１のモータ本体１（後述する）との間に設けられる緩衝部材４等によって構成される。
【００１７】
固定部材１０は、本モータ支持装置が設けられる機器における固定部位である。
【００１８】
モータ１１は、内部にロータ等（図示せず）を有するモータ本体１と、このモータ本体１を貫通する軸状部材であって該モータ本体１の両端面より突出して設けられる回転軸２ａ，２ｂとによって構成される。なお、本実施形態において、回転軸を指し示すのに二つの符合２ａ，２ｂで用いているのは、モータ本体１の両端にそれぞれ突出していることを示すための措置であり、二つの部材からなることを示すものではない。本実施形態において、回転軸は一部材によって構成されているものである。
【００１９】
緩衝部材４は、モータ１１から生じる振動等を吸収する弾性を有する部材によって形成される。緩衝部材４としては、例えば発泡ウレタン，スポンジ，ゲル状制振部材等が適用される。
【００２０】
軸受手段１２は、モータ１１の回転軸２ａ，２ｂと、該回転軸２ａ，２ｂを受ける軸受部材５ａ，５ｂとによって構成される。
【００２１】
軸受部材５ａ，５ｂは、本モータ支持装置が配設される機器の固定部位に固定されている。この軸受部材５ａ，５ｂのそれぞれには、回転軸２ａ，２ｂの各先端部位２ａａ，２ｂｂが回転自在に嵌合する凹部５ａａ，５ｂｂが形成されている。
【００２２】
そして、回転軸２ａ，２ｂのうち一方の先端部位２ａａとモータ１１の一端面１ａとの間には、モータ１１の出力を伝達する負荷部材である駆動力伝達機構が設けられている。本実施形態においては、この駆動力伝達機構として、図１に示すようにウォームギアー３を例示している。
【００２３】
ウォームギアー３は、ねじ歯車（ウォーム）３ａと、このねじ歯車３ａに噛合するハスバ歯車（ウォームホィール）３ｂとを組み合わせて構成される駆動機構である。
【００２４】
また、回転軸２ａ，２ｂのうち他方の先端部位２ｂｂとモータ１１の他端面１ｂとの間には、例えばモータ１１の回転軸の回転を検出する検出装置に用いられるフォトインタラプタ(Photointerrupter)の光投受素子の間に配置されるＰＩハネ６等が設けられている。
【００２５】
以上説明したように上記第１の実施形態によれば、モータ本体１は、機器の固定部材１０との間に緩衝部材４を介して支持されると共に、モータ１１の回転軸２ａ，２ｂの先端部位２ａａ，２ｂｂが、機器の固定部位に固定される軸受部材５ａ，５ｂに形成した凹部５ａａ，５ｂｂに嵌合されるように構成した。
【００２６】
つまり、モータ本体１の両端にそれぞれ突出して設けられる回転軸２ａ，２ｂの先端部位２ａａ，２ｂｂが、軸受部材５ａ，５ｂの凹部５ａａ，５ｂｂに対してそれぞれ回転自在な状態で嵌合している。この構成により、回転軸２ａ，２ｂは、その両端の先端部位にて支持される。
【００２７】
さらに、負荷部材（ウォームギアー３）が、回転軸２ａの先端部位２ａａとモータ本体１の一端面１ａとの間に設けられる。
【００２８】
したがって、このような構成を採用することによって本実施形態においては、回転軸２ａ，２ｂの回転に振れが生じることを抑えることができる。その結果、回転軸２ａ，２ｂの回転を安定化させることができる。したがって、これにより本実施形態のモータ支持装置においては、より簡単な構成でモータ１１の駆動時の騒音や振動等を抑止し得るので、駆動装置の静音化に寄与することができる。
【００２９】
なお、上述の一実施形態のモータ支持装置におけるモータ１１の回転軸２ａ，２ｂの両先端部位２ａａ，２ｂｂの形状と、軸受部材５ａ，５ｂの凹部５ａａ，５ｂｂの形状とを工夫することにより、モータ１１の回転軸２ａ，２ｂの回転の安定化を実現できる。
【００３０】
また、本実施形態では、モータに対する負荷としての駆動力伝達機構としてウォームギアーを用いて説明したが、他の機構、例えば平ギアーを用いた駆動力伝達機構にも当然使用できる。
【００３１】
図２は、本発明の一実施形態のモータ支持装置の一変形例を示す図である。この図２は、該モータ支持装置のモータの回転軸の先端部位と、軸受部材との嵌合部位を拡大して示している。なお、図２においては、回転軸の両端のうちの一方のみを図示し、他方は同形状であるものとして図示を省略している。そのために、回転軸は符合２Ａで示し、軸受部材は符合５Ａで示している。
【００３２】
この一変形例においては、モータ（１１；図２では図示せず）の回転軸２Ａの先端部位２Ａａａには、回転軸を中心としたテーパ形状の凹部２Ａｘが形成されている。
【００３３】
一方、回転軸２Ａの先端部位２Ａａａに対応する軸受部材５Ａには、テーパ形状の凸部５Ａｘが形成されている。この凸部５Ａｘは、回転軸２Ａの凹部２Ａｘが回転自在となるように嵌合し得る形態で形成される。この場合において、凹部２Ａｘに凸部５Ａｘが嵌合したとき、両者は、図２に示す符合Ｘにおいて、略点接触するように形成される。なお、この符合Ｘで示す点は、回転軸２Ａの回転中心（図２の符合Ｃで示す線）上に設定されている。
【００３４】
このように、この一変形例における一対の軸受手段は、先端部位２Ａａａにテーパ形状の凹部２Ａｘを有する回転軸２Ａと、該回転軸２Ａの各凹部２Ａｘにそれぞれ嵌合するテーパ形状の凸部５Ａｘを有し回転軸２Ａの両端を受ける一対の軸受部材５Ａとによって構成される。その他の構成は、上述の一実施形態と同様である。
【００３５】
このような構成からなる上記一変形例のモータ支持装置においては、モータ（１１；図２では図示せず）の回転軸２Ａは、両端に設けたテーパ形状の凹部２Ａｘが、対応する軸受部材５Ａの凸部５Ａｘに嵌合することにより、略点接触によって回転が支持されるようになっている。したがってこれにより当該一変形例の構成によれば、回転軸２Ａの回転をより安定したものとすることができる。
【００３６】
なお、上記一変形例においては、回転軸２Ａに凹部２Ａｘを、軸受部材５Ａに凸部５Ａｘをそれぞれ形成するようにしたが、凹凸の関係を逆となるように、即ち、回転軸２Ａに凸部を形成し、軸受部材５Ａに凹部を形成するようにしても、全く同様の効果を得ることができる。
【００３７】
次に、図３は、本発明の一実施形態のモータ支持装置の別の変形例を示す図である。この図３は、該モータ支持装置のモータの回転軸の先端部位と、軸受部材との嵌合部位を拡大して示している。なお、図３においても、上述の一変形例における図２と同様に、回転軸の両端のうちの一方のみを図示し、他方は同形状であるものとして図示を省略している。
【００３８】
図３に示す別の変形例においては、モータ（１１；図３では図示せず）の回転軸２の先端部位２ａａには、回転軸２とは別体の中間部材としての軸部材２Ｂが配設されている。
【００３９】
この軸部材２Ｂの一端は、回転軸２と一体となるように嵌合している。また軸部材２Ｂの他端には、断面がテーパ形状の凹部２Ｂｘが形成されている。
【００４０】
一方、軸部材２Ｂの凹部２Ｂｘが対応する軸受部材５Ａには、テーパ形状の凸部５Ａｘが形成されている。この軸受部材５Ａは、上述の一変形例の軸受部材と同様の構成からなる。そして、軸受部材５Ａの凸部５Ａｘには、軸部材２Ｂの凹部２Ｂｘが回転自在に嵌合し得るように形成される。
【００４１】
この場合において、凹部２Ｂｘに凸部５Ｂｘが嵌合したとき、両者は、図３に示す符合Ｘにおいて、略点接触するように形成される。なお、この符合Ｘで示す点は、回転軸２の回転中心（図２の符合Ｃで示す線）上に設定されている。
【００４２】
このように、この別の変形例における一対の軸受手段は、回転軸２と、この回転軸２の先端部位２ａａに一体に固設される中間部材であってテーパ形状の凹部２Ｂｘを有する軸部材２Ｂと、該軸部材２Ｂの凹部２Ｂｘに嵌合するテーパ形状の凸部５Ａｘを有し軸部材２Ｂを介して回転軸２の両端を受ける一対の軸受部材５Ａとによって構成される。その他の構成は、上述の一実施形態と上記一変形例と同様である。
【００４３】
このような構成からなる上記一変形例のモータ支持装置においては、モータ（１１；図２では図示せず）の回転軸２は、先端部位２ａａにテーパ形状の凹部２Ｂｘを有する軸部材２Ｂが固設されており、この軸部材２Ｂを介してテーパ状凸部５Ａｘを有する軸受部材５Ａによって支持されるようになっている。
【００４４】
そして、軸部材２Ｂの凹部２Ｂｘが軸受部材５Ａの凸部５Ａｘに嵌合することにより、略点接触によって回転が支持される。したがってこれにより当該別の変形例の構成によれば、回転軸２そのものに対して加工を加えることなく、上述の一変形例と同様に、回転軸２の回転をより安定したものとすることができる。
【００４５】
なお、上記別の変形例においては、軸部材２Ｂに凹部２Ｂｘを、軸受部材５Ａに凸部５Ａｘをそれぞれ形成するようにしたが、凹凸の関係を逆となるように、即ち、軸部材２Ｂに凸部を形成し、軸受部材５Ａに凹部を形成するようにしても、全く同様の効果を得ることができるのは、上述の一変形例と同様である。
【００４６】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００４７】
本発明は、カメラやレンズ鏡筒等に適用されるだけでなく、駆動源としてモータを用いる各種の機器に対して広く適用することができる。
【符号の説明】
【００４８】
１……モータ本体
２ａ，２ｂ，２Ａ……回転軸
２ａａ，２ｂｂ，２Ａａａ……先端部位
２Ａｘ，２Ｂｘ……凹部
２Ｂ……軸部材
３……ウォームギアー
４……緩衝部材
５ａ，５ｂ，５Ａ……軸受部材
５ａａ，５ｂｂ……凹部
５Ａｘ，５Ｂｘ……凸部
１０……固定部材
１１……モータ
１２……軸受手段
【図１】
2010279099.tif 000003
【図２】
2010279099.tif 000004
【図３】
2010279099.tif 000005